(57)【要約】      （修正有）【課題】換気口を外部から見え難いように設けて、鼻隠部材の見栄えの向上を図ると共に、換気口周辺の構造簡易化や換気性能の向上などを図り得るようにする鼻隠部材の提供。【解決手段】鼻隠部材５は、軒先に取付可能な正面主板部２１と、正面主板部２１の下端側に形成された鼻先見切部２２とからなっている。鼻先見切部２２の上側に、水切部２３が設けられる。そして、水切部２３に、換気口２４が設けられる。水切部２３は、上側に水切縁部３５を有しても良い。水切部２３は、下側に水受部４１を有しても良い。水受部４１は、正面主板部２１よりも内側となる位置に設けても良い。水受部４１は、水切縁部３５の下側に離隔して設けても良い。換気口２４は、水受部４１と連続して設けても良い。換気口２４は、板状部に孔部を形成したものとしても良い。【選択図】図２
2019137968.tif 000002
【特許請求の範囲】
【請求項１】
軒先に取付可能な正面主板部と、該正面主板部の下端側に形成された鼻先見切部とからなり、該鼻先見切部の上側に、水切部が設けられ、前記水切部に、換気口が設けられていることを特徴とする鼻隠部材。
【請求項２】
請求項１に記載の鼻隠部材において、
前記水切部は、上側に水切縁部を有していることを特徴とする鼻隠部材。
【請求項３】
請求項１または請求項２に記載の鼻隠部材において、
前記水切部は、下側に水受部を有していることを特徴とする鼻隠部材。
【請求項４】
請求項３に記載の鼻隠部材において、
前記水受部は、前記正面主板部よりも内側となる位置に設けられていることを特徴とする鼻隠部材。
【請求項５】
請求項３または請求項４に記載の鼻隠部材において、
前記水受部は、前記水切縁部の下側に離隔して設けられていることを特徴とする鼻隠部材。
【請求項６】
請求項３ないし請求項５のいずれか１項に記載の鼻隠部材において、
前記換気口は、前記水受部と連続して設けられていることを特徴とする鼻隠部材。
【請求項７】
請求項１ないし請求項６のいずれか１項に記載の鼻隠部材において、
前記換気口は、板状部に孔部を形成したものとされることを特徴とする鼻隠部材。
【請求項８】
請求項１ないし請求項７のいずれか１項に記載の鼻隠部材を備えていることを特徴とする屋根。
【発明の詳細な説明】
【技術分野】
【０００１】
この発明は、鼻隠部材および屋根に関するものである。
【背景技術】
【０００２】
戸建住宅などの建物では、屋根の軒部分の先端（軒先）に鼻隠部材が取付けられている。このような鼻隠部材には、換気口を有しているものがある（例えば、特許文献１〜特許文献３参照）。
【先行技術文献】
【特許文献】
【０００３】
【特許文献１】特許第５２９８３７９号公報
【特許文献２】特開２０１５−３４４０９号公報
【特許文献３】特許第４８８００８４号公報
【発明の概要】
【発明が解決しようとする課題】
【０００４】
しかしながら、上記特許文献に記載された鼻隠部材では、換気口は、鼻隠部材の正面や底面などのような外部から見え易い位置に設けられていたので、見栄えが悪いなどの問題があった。また、換気口を外部から見え易い位置に設けることで、換気口には、外部からの雨水の侵入を防止する手段が必要になるので、換気口の形状や構造が複雑になったり、換気性能が低下したりするなどの問題があった。
【０００５】
そこで、本発明は、主に、上記した問題点を解決することを目的としている。
【課題を解決するための手段】
【０００６】
上記課題を解決するために、本発明の鼻隠部材は、軒先に取付可能な正面主板部と、該正面主板部の下端側に形成された鼻先見切部とからなり、該鼻先見切部の上側に、水切部が設けられ、該水切部に、換気口が設けられていることを特徴とする。
【発明の効果】
【０００７】
本発明によれば、上記構成によって、換気口を外部から見え難いように設けて、鼻隠部材の見栄えの向上を図ると共に、換気口周辺の構造簡易化や換気性能の向上などを図り得るようにすることが可能になる。
【図面の簡単な説明】
【０００８】
【図１】本実施の形態にかかる屋根の軒部分を側方から見た縦断面図である。
【図２】図１の部分拡大図（図３のＡ−Ａ線に沿った位置の縦断面図）である。
【図３】図２の分解斜視図である。
【図４】（ａ）は鼻隠部材の正面図、（ｂ）は図４（ａ）の鼻隠部材の側面図である。
【図５】（ａ）は図４（ａ）の水切部の部分拡大図、（ｂ）は図５（ａ）の水切部の側面図である。
【発明を実施するための形態】
【０００９】
以下、本実施の形態を、図面を用いて詳細に説明する。
図１〜図５は、この実施の形態を説明するためのものである。
【実施例１】
【００１０】
＜構成＞以下、構成について説明する。
図１に示すように、戸建住宅などの建物１における、建物本体２の上部に屋根３を設ける。この屋根３を、建物本体２の外側（図中左側）へ向かって下り勾配に傾斜する傾斜屋根とする。この屋根３の軒部分４の先端（軒先）に、鼻隠部材５を取付ける。
【００１１】
ここで、建物１は、どのような構造のものであっても良いが、例えば、ユニット建物などとすることができる。ユニット建物は、予め工場で製造した建物ユニットを建築現場へ搬送して建築現場で組み立てることにより、短期間のうちに建物１を構築できるものである。
【００１２】
建物本体２は、主に、建物１の居住空間または居室部分を構成するものである。建物本体２の外面には外壁材６が取付けられる。
【００１３】
屋根３は、ユニット建物の場合、主に、屋根パネル７によって構成される。屋根パネル７は、例えば、矩形状のパネル枠８や垂木や野地板などでできた屋根構造体の上面に、屋根面材９などを貼設したものなどとされる。屋根パネル７（の屋根面材９）の上には、必要に応じて、瓦材やスレート材や鋼板製屋根材などの屋根葺材１１などが敷設される。屋根面材９と屋根葺材１１との間には、防水シートなどが介在される。
【００１４】
屋根３の軒部分４は、建物本体２（の外壁材６の位置）よりも外側に張出した部分のことである。軒部分４の先端（軒先）は、軒部分４の水下側の端部またはその周辺のことである。軒部分４の下面側には、軒天井材１２が貼設される。軒天井材１２は、ほぼ水平に設置しても良いが、この場合、傾斜した屋根３と平行になるように、屋根パネル７の下面に沿って、軒先側へ下り勾配に傾斜させて設置されている。屋根パネル７の下面と軒天井材１２との間には、若干の隙間が形成されている。なお、軒先側は、建物本体２から離れた側のことであり、軒元側は、建物本体２に近い側のことである。
【００１５】
軒天井材１２は、建物本体２や外壁材６の上端部と、パネル枠８や屋根構造体における軒先側の位置にほぼ水平に設けられた横材１３（または横枠材１３）との間に設置されている。軒天井材１２の上端部は、取付金具１４などを介して外壁材６の上端部や建物本体２（の天井梁２ａ）などに取付けられる。軒天井材１２の下端部は、例えば、木レンガ１５ａや受材１５ｂなどの補助部材を介して、横材１３に間接的に取付けられる。
【００１６】
鼻隠部材５には各種のものが存在しているが、この実施例では、上記した横材１３の表面などを覆う金属製の化粧材とされている。鼻隠部材５は、横材１３の長手方向へ延びる長尺の部材とされる。鼻隠部材５は、横材１３に沿って複数連設することができる。鼻隠部材５どうしの接続には、鼻隠部材５とほぼ同一の側面形状をした帯板状の繋ぎ部材などを用いることができる。鼻隠部材５は、例えば、長期耐久性に優れたフッ素樹脂塗料を塗装して成るフッ素樹脂塗装鋼板などで構成することができる。鼻隠部材５の外側（軒先側）には、ブラケット１６（軒樋支持具）を介して軒樋１７が設置される。
【００１７】
横材１３は、屋根パネル７の軒先の位置にほぼ垂直に立てた状態で配置された屋根構造材となっている。横材１３は、この実施例にかかる鼻隠部材５を取付けない場合には、そのまま鼻隠部材として使用することもできる。
【００１８】
なお、パネル枠８や屋根構造体の下面の軒先側における、軒天井材１２の軒先側の縁部と、横材１３との間となる位置には、必要に応じて、鋼製の鼻先水切材１８が取付けられる。鼻先水切材１８は、断面ほぼＣ字状をして横材１３の長手方向へ延びる部材とされる。鼻先水切材１８は、断面ほぼＣ字状の開口部分が軒先側で且つ斜め下向きに開いた状態でパネル枠８の下面に設置される。鼻先水切材１８の底面からは、ほぼ水平な状態に対して軒先側へ向かう排水勾配を有する水切り用の縁部が軒先側へ向けて突設されている。鼻先水切材１８は、例えば、フッ素樹脂塗装鋼板などで構成することができる。
【００１９】
上記した各部材は、釘やねじなどの各種の固定具１９によって適宜固定される。
【００２０】
そして、上記のような基本的または全体的な構成に対し、この実施例は、以下のような構成を備えている。
【００２１】
「鼻隠部材５について」
【００２２】
（１）図２（〜図４）に示すように、鼻隠部材５は、軒先に取付可能な正面主板部２１と、正面主板部２１の下端側に形成された鼻先見切部２２とからなっている。
そして、鼻先見切部２２の上側に、水切部２３が設けられる。
更に、この水切部２３に、換気口２４が設けられる。
【００２３】
ここで、鼻隠部材５は、一枚の鋼板を曲げ加工することなどによって一体に形成することができる。
【００２４】
軒先には、主に、上記した横材１３と、横材１３よりも軒先側へ張出した屋根面材９の軒先側の縁部と、横材１３よりも軒元側に位置する軒天井材１２の軒先側の縁部と、が存在している。
【００２５】
正面主板部２１は、主に、横材１３の外表面（となる縦面）に当接固定されて横材１３の外表面を覆うもの（カバー部）とされる。正面主板部２１と横材１３の外表面との間には、必要に応じて防水シートなどが介在される。正面主板部２１の下部などには、固定具１９を外側から横に差込んで正面主板部２１を横材１３へ固定するための取付孔２１ａを適宜形成するようにしても良い。但し、取付孔２１ａは、現場で加工形成するなどしても良い。
【００２６】
正面主板部２１の上部には、必要に応じて、軒先側へ向けてほぼ水平に延びる横延設部２５と、横延設部２５の先端部から軒先側へ向けて斜め上方へ延びる傾斜部２６とが一体に形成される。
【００２７】
傾斜部２６は、屋根面材９とほぼ垂直な方向へ延びて、屋根面材９の軒先側の縁部に当接係止される。傾斜部２６は、屋根面材９の板厚のほぼ１．５倍から２倍程度の長さなどとされている。横延設部２５は、傾斜部２６の下端部の位置（横材１３の上端部よりも若干低い位置）にて、ほぼ横材１３からの屋根面材９の張出量程度の長さに延びて、傾斜部２６の下端部と正面主板部２１の上端部との間を横に繋ぐように設けられる。
【００２８】
鼻先見切部２２は、横材１３の下方で、軒天井材１２の軒先側の端部よりも軒先側となる位置に、正面主板部２１などと一体に設けられる。鼻先見切部２２は、正面主板部２１とほぼ面一な縦の面とされる。但し、鼻先見切部２２は、外部から識別できない程度の僅かな量であれば、正面主板部２１より軒先側に位置させても良い。
【００２９】
鼻先見切部２２の下端部は、軒天井材１２を軒先側へ延長した線とほぼ重なる位置まで延ばされている。そして、鼻先見切部２２の下端部からは、軒天井材１２の下端部に達するまで軒元側へ延びて軒天井材１２に取付けられる取付部２８が一体に形成される。なお、上記した鼻先水切材１８は、取付部２８よりも上側に位置することで、鼻隠部材５の内側に収容される。或いは、鼻先水切材１８は、鼻隠部材５によって隠される。
【００３０】
鼻先見切部２２と取付部２８とによって形成される屈曲部分（または鼻先見切部２２の下端部の位置）には、鼻隠部材５の主たる水切部（主水切部２９）が、上記した水切部２３とは別に設けられる。そして、上記屈曲部分が主水切部２９の水切縁部となる。鼻先見切部２２と取付部２８は、共に水切縁部へ向かう下り勾配の面となる。主水切部２９には、適宜、水抜穴３１（図４（ａ））を設けることができる。この水抜穴３１は、（鼻先水切材１８で水切りされるなどして）鼻隠部材５の内部に溜まった水を抜くなどのために設けられるものである。
【００３１】
取付部２８は、軒先側に比較的緩い第一傾斜部３２を有し、軒元側に比較的急な第二傾斜部３３を有している。第一傾斜部３２は、ほぼ水平な状態に対して排水勾配を形成するように、軒先側へ向かって下り勾配に傾斜されており、第二傾斜部３３は、軒天井材１２とほぼ平行な角度で傾斜されている。このように、取付部２８を第一傾斜部３２と第二傾斜部３３とで構成することにより、取付部２８を第二傾斜部３３のみで構成した場合と比べて、鼻隠部材５の上下寸法を短くして鼻隠部材５の見栄えを良くすることが可能になる。
【００３２】
第二傾斜部３３の端部には、軒天井材１２などに対する取付けのための凹凸部３４が設けられる。この凹凸部３４は、取付部２８の端部を補強すると共に、軒天井材１２に対して当接固定される。この場合、凹凸部３４は、側方から見て、軒天井材１２側へ向かう凹部と、軒天井材１２から離れる側へ向かう凸部とを有する矩形波状のものとされている。凹凸部３４の凹部（の底部）には、固定具１９を下側から差し込んで取付部２８を軒天井材１２や受材１５ｂなどへ固定するための取付孔３４ａが適宜形成される。
【００３３】
上記した水切部２３は、換気口２４を効果的に設置できるようにするために、鼻先見切部２２の上側、または、正面主板部２１と鼻先見切部２２との間の位置に、上記した主水切部２９とは別に設けられる（副水切部、第二水切部または、換気口用水切部など）。
【００３４】
具体的には、水切部２３は、鼻先見切部２２の上側における、横材１３の下端部よりも僅かに低い位置に設けられる。水切部２３や換気口２４は、鼻隠部材５に一体に設けられる。これらについては、後述する。
【００３５】
（２）図５に示すように、水切部２３は、上側に水切縁部３５を有するようにしても良い。
【００３６】
ここで、水切縁部３５は、正面主板部２１の下端部から下方へ延びる下方延長部３６と、下方延長部３６の下端部から軒元側へ延びる横屈曲部３７とで構成されている。下方延長部３６と横屈曲部３７によって形成される屈曲部分が水切縁部３５となる。下方延長部３６と横屈曲部３７は、共に水切縁部３５へ向かう下り勾配の面となる。
【００３７】
横屈曲部３７は、横材１３の厚みとほぼ同じかそれよりも若干短い長さとされる。横屈曲部３７は、ほぼ水平な状態に対して排水勾配を形成するように、軒先側へ向かって下り勾配に傾斜されている。下方延長部３６は、横屈曲部３７の傾斜量に応じた長さに形成される。この実施例では、水切縁部３５は、換気口２４とほぼ同じかそれよりも若干高い位置などに設けられる。
【００３８】
（３）水切部２３は、下側に水受部４１を有するようにしても良い。
【００３９】
ここで、水受部４１は、水切縁部３５の下側に設置されて、水切縁部３５で水切りされた雨水などを受けるものとされる。そして、上記により、水切部２３は、少なくとも、水切縁部３５と、水受部４１と、換気口２４とを有するものとなる。水受部４１は、換気口２４よりも下側に設けられる。この実施例では、換気口２４は、上下方向に対してほぼ水切縁部３５と水受部４１との間に位置される。
【００４０】
（４）水受部４１は、正面主板部２１よりも内側となる位置に設けられるようにしても良い。
【００４１】
ここで、正面主板部２１よりも内側とは、正面主板部２１と同じかそれよりも軒元側となる位置のことである。または、正面主板部２１よりも内側とは、水受部４１が、正面主板部２１よりも軒先側に突出しないことである。水受部４１は、全ての部分が正面主板部２１よりも内側に位置しているのが好ましいが、外部から識別できない程度の僅かな量であれば一部が正面主板部２１よりも軒先側に位置していても許容できる。
【００４２】
（５）水受部４１は、水切縁部３５の下側に離隔して設けられるようにしても良い。
【００４３】
ここで、水切縁部３５から離隔とは、水受部４１が水切縁部３５に対して下方に離れた位置に設けられていることである。具体的には、水切縁部３５を構成する横屈曲部３７の軒元側の端部に下方へ向けて屈曲する下方屈曲部４５を一体に設け、この下方屈曲部４５の下端部に軒先側へ向けて屈曲する軒先側屈曲部４６を一体に設ける。これら下方屈曲部４５および軒先側屈曲部４６によって、水切部２３には（鼻隠部材５の長手方向へ延びて軒元側へ引っ込む）窪みが形成される。この窪み（の下側の軒先側屈曲部４６）に水受部４１を配置することで、水受部４１を水切縁部３５から離隔させるようにしている。
【００４４】
そして、軒先側屈曲部４６を軒先側へ向けて下り勾配となる傾斜面にしても良い。この傾斜面の少なくとも軒先側の部分（傾斜面の下側、または、窪みの手前側の部分）を水受部４１としても良い。軒先側屈曲部４６を傾斜面とすることにより、水受部４１の有効面積をより大きくすることができる。
【００４５】
水切縁部３５と水受部４１との上下方向の間隔４７（窪みの入口の大きさ）は、下方屈曲部４５の長さと、軒先側屈曲部４６の傾斜角度とによってほぼ設定される。軒先側屈曲部４６の傾斜角度は、軒天井材１２の傾斜角度とほぼ同じかそれよりも大きな角度とされる（図１参照）。
【００４６】
軒先側屈曲部４６の軒先側の端部は、正面主板部２１とほぼ面一となる位置まで延ばされる。そして、軒先側屈曲部４６の軒先側の端部を下方へ屈曲することで窪みの下側に鼻先見切部２２が一体に形成される。この実施例では、上記した窪みの入口の高さは、鼻先見切部２２の上下方向の長さとほぼ同程度となっている。軒樋１７は、その下部によって上記した窪みの一部を隠すように正面主板部２１へ取付けても良い（図１参照）。
【００４７】
（６）換気口２４は、水受部４１と連続して設けられるようにしても良い。
【００４８】
ここで、連続とは、例えば、換気口２４が水受部４１に対して隣接して形成されることである。そのために、換気口２４を、傾斜面とされた軒先側屈曲部４６の軒元側の部分（傾斜面の上側、または、窪みの奥側の部分）に設けるようにする。これにより、軒先側屈曲部４６の上で水受部４１と換気口２４とが窪みの奥行方向に連続される。この際、軒先側屈曲部４６を傾斜面とすることにより、換気口２４の有効面積をより大きくすることができる。
【００４９】
更に、換気口２４は、下方屈曲部４５に対して設けるようにしても良い。この実施例では、換気口２４は、下方屈曲部４５の上側の位置などに設けられている。
【００５０】
（７）換気口２４は、板状部５１に孔部５２を形成したものとしても良い。
【００５１】
ここで、板状部５１は、傾斜面とされた軒先側屈曲部４６や、縦面となっている下方屈曲部４５などのことである。板状部５１は、ほぼ水平に延びると共に、少なくとも孔部５２を形成するのに必要な大きさの平坦な面を有するものとされる。
【００５２】
孔部５２は、例えば、ブリッジ付き孔のように孔部５２を塞ぐ部分などを有さない完全な開口（貫通孔など）とするのが好ましい。孔部５２は、板状部５１に対して打抜加工などによって貫通形成することができる。この実施例では、孔部５２を、所要の長さを有して横へ延びるほぼ長方形状や長円形状などのスリット孔としている。孔部５２は、側方から見て、軒先側屈曲部４６の上部に２本、下方屈曲部４５の上部に１本、合計３本を１組にして形成されている。３本のスリット孔は、例えば、所要の長さに揃えて形成すると共に、鼻隠部材５の延設方向に沿って複数組形成することができる。但し、孔部５２の設置個数や設置パターンなどは、上記に限るものではない。
【００５３】
「屋根３について」
【００５４】
（８）屋根３は、上記した鼻隠部材５を備えるようにしても良い。
【００５５】
ここで、建物１の屋根３は、どのようなものとしても良いが、屋根３の軒先側に位置する水平な縁部（軒先）に設けられた横材１３に対して鼻隠部材５を取付けることができる。特に、傾斜した屋根３の水下側に位置する水平な横材１３（の外表面）に対して鼻隠部材５を取付けたものとするのが好ましい。
【００５６】
＜作用効果＞この実施例によれば、以下のような作用効果を得ることができる。
【００５７】
（作用効果１）鼻隠部材５は、（屋根３の）軒先に対して、正面主板部２１を取付けることによって、正面主板部２１で軒先（の横材１３など）を隠すと共に、正面主板部２１で軒先を雨水や経年劣化などから保護することができる。また、正面主板部２１の下端側に鼻先見切部２２を形成することにより、屋根３の軒先の下側の形状を鼻先見切部２２によって隠したり整えたりすることができる。
【００５８】
また、鼻先見切部２２の上側に水切部２３を形成することにより、正面主板部２１から鼻先見切部２２へ向けて流下する雨水を途中で水切部２３によって水切りすることができる。
【００５９】
そして、鼻隠部材５が換気口２４を有することにより、換気口２４から軒先内部や小屋裏空間などの換気を行うことができる。この際、換気口２４が水切部２３に設けられることにより、水切部２３で水切りを行う位置に換気口２４が存在するので、または、換気口２４の周辺で水切部２３による水切りが行われるので、換気口２４への雨水などの侵入を防止することが可能になる。
【００６０】
更に、水切部２３に換気口２４を設けることにより、鼻隠部材５に水切部２３や換気口２４を一体に設けて、鼻隠部材５や換気口２４の構造簡略化を図ることができる。そして、鼻先見切部２２の上側に水切部２３を設けて、水切部２３に換気口２４を形成することで、水切部２３を利用して換気口２４を目立たないように設置することなども可能になる。
【００６１】
即ち、正面主板部２１の下端側に位置する鼻先見切部２２に水切部２３を設けて、この水切部２３に対して換気口２４を設けることで、例えば、水切部２３によって外部から見え難い部分などを創り出すことができる。そして、この外部から見え難い部分に換気口２４を設置するようなことが可能となり、見栄えの向上を図ることが期待できる。
【００６２】
また、水切部２３によって創り出した外部から見え難い部分に換気口２４を設けることで、換気口２４に対して外部からの雨水が侵入し難くなる。そのため、形状や構造の複雑化や、換気性能の低下などを招くことなく、雨水が侵入し難い換気口２４を得ることなども期待できる。
【００６３】
（作用効果２）水切部２３は、その上側に水切縁部３５を有するようにしても良い。これにより、正面主板部２１に沿って流下した雨水を水切部２３の上側に設けた水切縁部３５の位置で確実に水切りすることができる。そして、例えば、水切縁部３５を、換気口２４の上側となる位置などに換気口２４を避けてうまく設けるようにすれば、雨水が換気口２４へ入り込まなくなるように水切りを行わせることなども可能になる。
【００６４】
（作用効果３）水切部２３は、その下側に水受部４１を有するようにしても良い。これにより、水切部２３に水受機能を持たせて、例えば、（上側の）水切縁部３５で水切りされた雨水を下側の水受部４１にて受けさせることができる。よって、水切りを行う位置と水受けを行う位置（または水切りの経路）を特定することができる。そして、例えば、水受部４１を、換気口２４よりも下側に設けると共に、上記した水切りの経路を避けた位置に換気口２４を設けるようにすれば、雨水が換気口２４へ入り込まなくなるように水切りおよび水受けを行わせることなども可能になる。
【００６５】
（作用効果４）水受部４１を正面主板部２１よりも内側となる位置に設けても良い。これにより、水受部４１を外部から目立たないように設置することができる。よって、鼻隠部材５の外観品質を向上することができる。
【００６６】
（作用効果５）水受部４１を水切縁部３５の下側に離隔して設けるようにしても良い。これにより、水切縁部３５で水切りされた雨水を水切縁部３５の下側に離隔した位置に設けられた水受部４１で確実に受けることができる。また、水受部４１を水切縁部３５から離隔させることで、水切縁部３５と水受部４１との間に所要のスペースを確保することができる。そして、このスペースを有効活用することで、例えば、上記したように水受部４１（や換気口２４）を正面主板部２１よりも内側の位置に設けることなどが容易または可能になる。
【００６７】
（作用効果６）換気口２４を水受部４１と連続させて設けるようにしても良い。これにより、例えば、換気口２４と水受部４１とを一体化して鼻隠部材５や水切部２３の構造の簡略化や省スペース化を図ることができる。そして、例えば、換気口２４を水受部４１の軒元側に連続して配置するようにした場合には、水受部４１を正面主板部２１よりも内側に設けることで、水受部４１と連続する換気口２４も正面主板部２１より内側に位置されることになる。そのため、換気口２４に雨水が直接かかったり、雨水が換気口２４から内部へ侵入したりし難くすることができる。よって、換気口２４に、別途外部からの雨水の侵入を防止するための手段などを設ける必要をなくすことなどが可能になる。
【００６８】
（作用効果７）換気口２４は、板状部５１に対して孔部５２を形成したものとしても良い。これにより、（窪みとなっている水切部２３の内壁部分を構成する）板状部５１に沿って外気（風など）が流れることで負圧吸引作用が発生して孔部５２からの換気を促進する（または強制換気を行わせる）ことが可能になる。よって、簡単な構成で確実に換気（小屋裏換気など）を行わせることができる。
【００６９】
この際、孔部５２を貫通孔などのような完全に開口したものとすれば、例えば、孔部５２をブリッジ付き孔などのように一部塞がれたものとした場合と比べて開口面積が大きくなるので、換気性能を向上することができる。
【００７０】
特に、換気口２４を正面主板部２１よりも内側となる位置に設けるようにした場合には、位置的に外部から孔部５２内へ雨水が侵入し難くなるので、換気口２４を貫通孔としても支障が生じないようにできる。
【００７１】
（作用効果８）本実施例の屋根３によれば、上記した鼻隠部材５と同様の効果を得ることができる。
【００７２】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００７３】
３      屋根
５      鼻隠部材
２１    正面主板部
２２    鼻先見切部
２３    水切部
２４    換気口
３５    水切縁部
４１    水受部
５１    板状部
５２    孔部
【図１】
2019137968.tif 000003
【図２】
2019137968.tif 000004
【図３】
2019137968.tif 000005
【図４】
2019137968.tif 000006
【図５】
2019137968.tif 000007